(57)【要約】【課題】円形篩振動器に使用されるフレーム部材の変形に対する、強度及び剛性を増大させ、それによって、フレーム部材が変形に抵抗し、その正確な丸みを維持して、より長い耐久年数を得るようにすること。【解決手段】円形篩振動器のフレーム部材であって、  環状の垂直フレーム壁と、  前記フレーム壁の両側端部にそれぞれに設けられる接合リムと、  前記フレーム壁の周囲から延びる少なくとも１つの強化フランジとを備えること、からなる。【選択図】図１
2006289360.tif 000002
【特許請求の範囲】
【請求項１】
円形篩振動器のフレーム部材であって、
環状の垂直フレーム壁と、
前記フレーム壁の両側端部にそれぞれに設けられる接合リムと、
前記フレーム壁の周囲から延びる少なくとも１つの強化フランジとを備えることを特徴とするフレーム部材。
【請求項２】
前記強化フランジが、前記フレーム壁の上半分および／または下半分に配設されることを特徴とする請求項１に記載の円形篩振動器のフレーム部材。
【請求項３】
前記強化フランジが、前記フレーム壁から内向きまたは外向きに突き出ることを特徴とする請求項１に記載の円形篩振動器のフレーム部材。
【請求項４】
前記強化フランジと前記フレーム壁の共通部に敷設縁部が形成されることを特徴とする請求項１に記載の円形篩振動器のフレーム部材。
【請求項５】
前記強化フランジが前記接合リムと前記フレーム壁の共通部に形成され、真っ直ぐな突起部を備えることを特徴とする請求項１に記載の円形篩振動器のフレーム部材。
【請求項６】
前記強化フランジが前記接合リムと前記フレーム壁の共通部に形成され、円形の突起部を備えることを特徴とする請求項１に記載の円形篩振動器のフレーム部材。
【請求項７】
前記強化フランジが前記壁の下半分に形成され、円形突起部を備えることを特徴とする請求項１に記載の円形篩振動器のフレーム部材。
【請求項８】
前記強化フランジが前記壁の下半分に形成され、真っ直ぐな突起部を備えることを特徴とする請求項１に記載の円形篩振動器スクリーナのフレーム部材。
【発明の詳細な説明】
【技術分野】
【０００１】
本発明は、円形のフレーム部材構造体、特に円形篩振動器の強化フレーム部材構造体であって、変形に対する強度および剛性を増大して、耐用年数を延長するために、そのフレーム部材の下半分および／または上半分に内向き強化フランジまたは外向き強化フランジが設けられる構造体に関する。
【背景技術】
【０００２】
篩振動器は通常、粉を篩い分けするのに、または篩い分けされた物質を濾過するのに使用される。加工原料または加工材料が、篩振動器の頂部の入口から篩振動器内に供給され、振動および様々な篩穴で処理され、それによって、原料または材料がその粒子の大きさに基づいて様々な等級に分類されて、使用中簡単に分離され、不純物を取り除くことができるようになる。したがって篩振動器は、プラスチック産業、食品産業、または医薬産業の分野で広く使用されている。最近急速な進歩を遂げている物質科学によって、先端技術に属する電子産業が、それが必要とする原材料を篩い分けするために篩振動器を使用する。
【０００３】
一般的に篩振動器は、その下方部分に振動モータを備えた振動基部と、その基部に配設された少なくとも２セットのフレーム部材であって、フレーム部材によって挟まれて様々な篩穴によって篩い掛け分離を実行する篩ホールダを備えるフレーム部材とを備える。ほとんどの場合、篩振動器の改良は、振動本体と、材料を外に出す制御デバイスと、材料を内に入れるデバイスと、篩ホールダに集中し、フレーム部材の改良について述べられることはほとんどない。「篩振動器のフレーム部材」という名称の台湾特許第１９２７４４号は、フレーム部材の内側壁面にあって原料または材料の移動方向を案内する複数の傾斜フレーム・プレートを開示している。しかし変形からフレーム部材を守る代替物は、先行技術では提案されていない。
【０００４】
実際、篩振動器に使用されるフレーム部材は板金から作られ、その板金は、環形状として切断、圧延され、その両端部が接合部として溶接される。しかしこの板金は不注意に作動される場合変形され易く、篩ホールダと接合するフレーム部材には不向きであり、等級分離の品質に悪影響を及ぼす。したがって、フレーム部材の変形に対する強度および剛性をいかに増大して耐用年数を延長するかは、解決を必要とする困難な問題である。
【特許文献１】台湾特許第１９２７４４号
【発明の開示】
【発明が解決しようとする課題】
【０００５】
本発明の目的は、円形篩振動器に使用されるフレーム部材の変形に対する、強度及び剛性を増大させ、それによって、フレーム部材が変形に抵抗し、その正確な丸みを維持して、より長い耐久年数を得るようにすること、である。
【課題を解決するための手段】
【０００６】
前記目的を達成するため、本発明の円形篩振動器のフレーム部材は、
環状の垂直フレーム壁と、
前記フレーム壁の両側端部にそれぞれに設けられる接合リムと、
前記フレーム壁の周囲から延びる少なくとも１つの強化フランジとを備えることからなる。
【０００７】
又、前記強化フランジが、前記フレーム壁の上半分および／または下半分に配設されることが好適である。
又、前記強化フランジが、前記フレーム壁から内向きまたは外向きに突き出ることが好適である。
又、前記強化フランジと前記フレーム壁の共通部に敷設縁部が形成されることが好適である。
又、前記強化フランジが前記接合リムと前記フレーム壁の共通部に形成され、真っ直ぐな突起部を備えることが好適である。
又、前記強化フランジが前記接合リムと前記フレーム壁の共通部に形成され、円形の突起部を備えることが好適である。
又、前記強化フランジが前記壁の下半分に形成され、円形突起部を備えることが好適である。
さらに、前記強化フランジが前記壁の下半分に形成され、真っ直ぐな突起部を備えることが好適である。
【発明を実施するための最良の形態】
【０００８】
本発明は、以下の記述および添付図面を参照することによって、より完全に理解することができる。
【０００９】
図１および２を参照して、本発明による円形篩振動器のフレーム部材１は基本的に、従来の構成と同じ構成を備え、即ちフレーム部材１は、環形状の垂直フレーム壁１１を有し、その上側と下側がそれぞれ接合リム１２の外向きに延び、それによって篩ホールダがフレーム部材１とその下の他のフレーム部材１によって挟まれるようになり、固定器具を使用して、隣接し合う２つの接合リムと篩ホールダを位置付ける。さらに、フレーム壁１１は篩い掛けされた材料または不純物が排出される出口１３を有する。以上は先行技術であり、ここでは詳細をさらに述べない。
【００１０】
本発明の特徴は、フレーム壁１１が、上半分および／または下半分に少なくとも１つの強化フランジ１４を備え、それが内向きまたは外向きに突き出て、フレーム部材１の剛性および強度を増大することである。したがってそれは、フレーム部材１を変形されることから守り、その正確な丸さを維持することが可能であり、それによって他のフレーム部材および篩ホールダがそれと結合できるようになることである。図１および２から、強化フランジ１４は下半分に配設されることが分かり、好ましくは、強化フランジ１４は内向きに突き出て、フレーム壁１１とフランジ１４の間に敷設縁部１４１を形成する。敷設縁部１４１は以下に述べる利点を有する。（ａ）敷設縁部１４１は、図２に破線で示す円錐プレート材によって敷設することができ、この円錐プレートは、位置付用固定具を使用してプレート材を保持するという不便な作業工程を行う必要なく、速やかに溶接することによってフレーム部材１に接合することができる。（ｂ）フレーム壁１１と接合リムの共通部１２の円弧端部を基準位置として使用して、その結果、測定誤差の出る可能性を生むのではなく、この敷設縁部１４１によって、定規などの測定具で、線を画くことに加える補助作業を便利に行うことができる。
【００１１】
図２を参照すると、強化フランジ１４はフレーム壁１１と接合リム１２の共通部にあり、真っ直ぐな突起部を備える。図３から５は、強化フランジ１４の第２実施形態から第４実施形態を示す。図３は、強化フランジ１４がフレーム壁１１と接合リム１２の合接部にあり、円形の突起部を備えることを示す。図４は、強化フランジ１４がフレーム壁１１の下半分に配設置され、円形突起部を備えることを示す。図５は、強化フランジ１４がフレーム壁１１の下半分に配設置され、真っ直ぐな突起部を備えることを示す。したがって強化フランジ１４は、変形に対してフレーム部材の強度および剛性を効果的に増大させることができ、プレート材に速やかに接合され、測定中の基準線としての役目を果たす。
【００１２】
本発明による円形篩振動器のフレーム部材は、その上半分および／または下半分に少なくとも内向き強化フランジまたは外向き強化フランジを備えて、一体フレーム部材の強度および剛性を増大し、それによってフレーム部材が変形に抵抗し、その正確な丸みを維持してより長い耐久年数を得ることができるようになることが認識されよう。さらに、フレーム部材の下半分に配設される少なくとも１つの内向強化フランジは、フレーム部材を強化することに加えて、プレート材に速やかに接合し、測定のための基準線として使用することができる。
【００１３】
本発明をその好ましい実施形態を参照して述べたが、添付請求項によって画定される本発明の精神から逸脱せずに、修正形態または変形形態を容易に作ることができることを理解されたい。
【図面の簡単な説明】
【００１４】
【図１】本発明による円形篩振動器のフレーム部材の斜視図である。
【図２】図１の断面図である。
【図３】本発明による円形篩振動器のフレーム部材の第２実施形態の断面図である。
【図４】本発明による円形篩振動器のフレーム部材の第３実施形態の断面図である。
【図５】本発明による円形篩振動器のフレーム部材の第４実施形態の断面図である。
【符号の説明】
【００１５】
１  フレーム部材
１１  フレーム壁
１２  接合リム
１３  出口
１４  強化フランジ
１４１  敷設縁部
【図１】
2006289360.tif 000003
【図２】
2006289360.tif 000004
【図３】
2006289360.tif 000005
【図４】
2006289360.tif 000006
【図５】
2006289360.tif 000007